(57)【要約】【課題】メダルの整列収容を容易に実現できるメダル収容容器を提供する。【解決手段】メダルを収容する凹状部２０の底面２１に設けられた傾斜部２２と側壁２３に設けられた円弧部２４とを有し、これら傾斜部２２および円弧部２４に沿ってメダルが凹状部２０内にて水平に積層可能となっており、傾斜部２２は、底面２１中央から円弧部２４に向かって下り傾斜して設けられており、円弧部２４は、水平に積層された際のメダルの外縁に合わせた円弧形状を側壁２３高さ方向Ｘに沿って持つとともに、側壁２３幅方向Ｙに複数連続して設けられている。【選択図】図１
2007222308.tif 000002
【特許請求の範囲】
【請求項１】
遊技機で利用されるメダルを収容する凹状部を備えたメダル収容容器であって、
前記凹状部の底面に設けられた傾斜部と側壁に設けられた円弧部とを有し、これら傾斜部および円弧部に沿って前記メダルが前記凹状部内にて水平に積層可能となっており、
前記傾斜部は、前記凹状部の底面中央から側壁の前記円弧部に向かって下り傾斜して設けられており、
前記円弧部は、水平に積層された際の前記メダルの外縁に合わせた円弧形状を前記凹状部の側壁高さ方向に沿って持つとともに、側壁幅方向に複数連続して設けられていることを特徴とするメダル収容容器。
【請求項２】
前記円弧部は、側壁幅方向に互いに隣接して連続形成されていることを特徴とする請求項１記載のメダル収容容器。
【発明の詳細な説明】
【技術分野】
【０００１】
本発明は、遊技機で利用されるメダルを収容するためのメダル収容容器に関するものである。
【背景技術】
【０００２】
遊戯者がスロットマシーンやパチスロ機、ゲーム機を用いて遊戯し、その遊戯の状態に応じて還元されるメダルは、通常それら遊技機に設けられた受皿（上皿及び下皿）で受け止めているが、多量の還元があった場合、この受皿に貯まったメダルを比較的大きな容器（所謂ドル箱）に収容することは、全国のパチンコ店やゲームセンター等の店舗でよく見られる光景である。
【０００３】
メダル収容容器は、その大部分を占めるように形成された凹状部を備えており、この凹状部内にメダルが収容される（たとえば特許文献１，２参照）。
【特許文献１】特開２００２−３６０９１５号公報
【特許文献２】実用新案登録第３０６７６９４号
【発明の開示】
【発明が解決しようとする課題】
【０００４】
しかしながら、上記メダル収容容器において、メダルは、遊戯者が遊技機の受皿から流し込んだり投げ入れたりした後に少し手で平らにならす程度で収容されるため、凹状部内ではバラバラに重なり合ったままの状態となる。
【０００５】
この収容状態では容器毎にメダル収容枚数の差が大きくなる虞があるため、より均一な収容を可能ならしめることや、遊戯者がおおよその枚数をより簡単に把握できるようにすることが望まれている。
【０００６】
そこで、本発明は、メダルを凹状部内にて整列収容することができ、容器毎の収容枚数の差を低減して均一収容を可能ならしめ、また遊戯者が収容状態を見ただけでより容易にメダルのおおよその枚数を把握できるようになる、メダル収容容器を提供することを目的とするものである。
【課題を解決するための手段】
【０００７】
上記目的を達成するために、本発明は、第一には、遊技機で利用されるメダルを収容する凹状部を備えたメダル収容容器であって、前記凹状部の底面に設けられた傾斜部と側壁に設けられた円弧部とを有し、これら傾斜部および円弧部に沿って前記メダルが前記凹状部内にて水平に積層可能となっており、前記傾斜部は、前記凹状部の底面中央から側壁の前記円弧部に向かって下り傾斜して設けられており、前記円弧部は、水平に積層された際の前記メダルの外縁に合わせた円弧形状を前記凹状部の側壁高さ方向に沿って持つとともに、側壁幅方向に複数連続して設けられていることを特徴とする。
【０００８】
第二には、前記円弧部は、側壁幅方向に互いに隣接して連続形成されていることを特徴とする。
【発明の効果】
【０００９】
上記のとおりの特徴を有する本発明によれば、上記傾斜部による凹状部底面の傾斜形状及び上記円弧部による凹状部側壁の円弧形状によって、凹状部内に収容されたメダルが整列状態に向けて付勢されるため、容器を軽く振るだけで、メダルが凹状部側壁方向に流れ出して円弧部に沿って次々に水平方向に積層されて整列するようになり、この整列収容によって容器毎の均一的な収容、容易な枚数把握が可能になる。
【発明を実施するための最良の形態】
【００１０】
図１〜図４は、各々、本発明の一実施形態を示した図である。
【００１１】
本実施形態では、メダル収容容器として、プラスチック製の直方体形状のケース体１０を採用しており、このケース体１０には、その大部分を占めるように形成された、メダル３０（図２参照）を収容する凹状部２０が設けられている。
【００１２】
この凹状部２０の底面２１には傾斜部２２が設けられ、長辺側の側壁２３には円弧部２４が設けられており、これら傾斜部２２および円弧部２４に沿ってメダル３０が凹状部２０内にて水平に積層可能となっている。
【００１３】
傾斜部２２は、底面２１中央から側壁２３の円弧部２４に向かって下り傾斜するように形成され、円弧部２４は、水平に積層された際のメダル３０の外縁に合わせた円弧形状を側壁２３の高さ方向Ｘに沿って持つとともに、側壁２３の幅方向Ｙに複数連続するように形成されている。
【００１４】
より具体的には、まず、傾斜部２２については、凹状部２０の底面２１の中央が全体に盛り上がっており、その中央部分から左右に分かれて両側の円弧部２４に向かって下り傾斜した形状となっている。つまり、本実施形態では、ケース体１０の底板自体が、中央から側壁２３方向に傾斜した断面山状底になっていると言える（図４（Ｄ）参照）。もちろんこれ以外にも、たとえば、底板外面は平らのままで、底板内面つまり底面２１にのみ傾斜部２２を形成させた形態でもよい。
【００１５】
一方、各円弧部２４については、図２の下段図に例示したように各メダル３０が水平方向に積まれて整列した際の円柱のようなメダル３０群の外縁に合わせた円弧形状を、側壁２３の高さ方向Ｘに沿ってそのほぼ上端まで達して有している。そしてこの円弧部２４が、側壁２３の幅方向Ｙに沿って互いに間隔をあけずに隣接して波状に連なり、左右の側壁２３を形成している。つまり、本実施形態では、側壁２３自体が、複数の円弧部２４を幅方向Ｙに連続させてなる波状壁になっていると言える。もちろんこれ以外にも、たとえば、側壁２３外面は平らのままで、側壁２３内面にのみ円弧部２４を連続形成させた形態でもよい。
【００１６】
以上のとおりの傾斜部２２および円弧部２４を備えたメダル収容容器によれば、その傾斜形状及び円弧形状によってメダル３０が整列状態に向けて付勢されているため、図２に例示したように、凹状部２０内にメダル３０が収容された状態でケース体１０を小刻みに振ったり傾けたりするだけで、バラバラな状態であったメダル３０は、底面２１の傾斜部２２の傾斜に沿って側壁２３方向に流れ出し、側壁２３の円弧部２４に沿って次々に水平方向に積層しながら整列する。
【００１７】
この整列状態は、各メダル３０が傾斜部２２に沿って傾いた状態で、まず各円弧部２４に一列目のメダル３０群が嵌まり、この一列目のメダル３０群の間に二列目のメダル３０群が嵌まった状態となる。つまり、各列のメダル３０群は千鳥状に整列する。
【００１８】
メダル３０が比較的少量のときは、ケース体１０を振ったりしなくても、傾斜部２２の傾斜によって円弧部２４の方に集まった状態となるが、そこから枚数が増えていくと、次々にバラバラに積み重なって乱雑状態となるので、そこで上述したとおりに小刻みに振れば整列状態を得られる。
【００１９】
以上により、容器毎の収容枚数差が低減されて、より均一なメダル収容を図ることができ、また遊戯者は収容状態を見ただけでより容易にメダルのおおよその枚数を把握できるようにもなる。
【００２０】
なお、円弧部２４については、凹状部２０の長辺側の側壁２３だけでなく、短辺側の側壁に設けられていてもよい。
【００２１】
ケース体１０を振ったり傾けたりするときは、たとえば、ケース体１０の長辺側にて折り返し形成されている返し部１１や、短辺側に設けられている手握り部１２を持って行えばよい。本実施形態における手握り部１２は、図３に例示したように、遊戯者の小物やキャラクタグッズなどを収容することが可能な凹形状となっており、その開口部には蓋体１３が着脱可能に設けられている。
【図面の簡単な説明】
【００２２】
【図１】本発明の一実施形態を示す斜視図である。
【図２】図１の実施形態におけるメダルの整列収容について説明する図である。
【図３】本発明の一実施形態を示す斜視図である。
【図４】本発明の一実施形態を示す図であって、（Ａ）は平面図、（Ｂ）は長辺側側面図、（Ｃ）は短辺側側面図、（Ｄ）は断面図である。
【符号の説明】
【００２３】
１０  ケース体
１１  返し部
１２  手握り部
１３  蓋体
２０  凹状部
２１  底面
２２  傾斜部
２３  側壁
２４  円弧部
３０  メダル
【図１】
2007222308.tif 000003
【図２】
2007222308.tif 000004
【図３】
2007222308.tif 000005
【図４】
2007222308.tif 000006